(57)【要約】【課題】適度の押圧刺激と芳香刺激によって疲労回復効果と快適な癒し効果が得られるようにした敷物を提供する。【解決手段】略筒状の充填用袋１０内に、多数の石材球体５を、又は多数の木材球体６を、又は多数の石材球体５と木材球体６の双方を、充填してなる球体充填体２を複数本並置し、且つ該各球体充填体２を並置方向に順次連結して敷物１を構成する。係る構成によれば、敷物１を体の下に敷くことで、石材球体５等によって押圧刺激が加えられ、心地よい押圧感が得られるとともに、体内の血行が促進され疲労回復が図られる。また、木材球体６から発散される素材木材に特有の芳香あるいは有効成分によって芳香刺激が与えられることで、精神的な安定が促進される等の癒し効果が得られる。【選択図】図２
2009213860.tif 000002
【特許請求の範囲】
【請求項１】
略筒状に形成した充填用袋（１０）内に、石材を略球状に成形してなる多数の石材球体（５）を、又は木材を略球状に成形してなる多数の木材球体（６）を、又は多数の石材球体（５）と木材球体（６）の双方を、充填してなる球体充填体（２）を複数本並置し、且つ該各球体充填体（２）を並置方向に順次連結して構成されたことを特徴とする敷物。
【請求項２】
請求項１において、
上記各球体充填体（２）がベース布（３）を介して連結されていることを特徴とする敷物。
【請求項３】
請求項２において、
上記各球体充填体（２）が、その並置方向に連続的に、又は非連続に設けられていることを特徴とする敷物。
【請求項４】
請求項３において、
上記各球体充填体（２）がその並置方向に非連続に設けられたものであって、その非連続部において上記ベース布（３）の展張状態を調整することで、該非連続部を挟んでその両側に位置する球体充填体（２）相互間の相対角度を変更し得るように構成したことを特徴とする敷物。
【請求項５】
請求項３において、
上記各球体充填体（２）がその並置方向に非連続に設けられたものであって、その非連続部では展張状態にある上記ベース布（３）に対して上記各球体充填体（２）がテーパ状の空隙を挟んでその両側に位置するように略Ｖ字形に連結されていることを特徴とする敷物。
【請求項６】
請求項１，２，３，４又は５において、
上記球体充填体（２）が、上記充填用袋（１０）内に、上記石材球体（５）を、又は上記木材球体（６）を、又は上記石材球体（５）と上記木材球体（６）の双方を、一列に充填して構成されていることを特徴とする敷物。
【発明の詳細な説明】
【技術分野】
【０００１】    本願発明は、適度の押圧刺激と芳香刺激によって疲労回復効果と快適な癒し効果を得ることのできるようにした敷物に関するものである。
【背景技術】
【０００２】  座布団とか枕として使用される従来の敷物は、着座状態における脚部とか就寝状態における頭部を弾性的に支持することで身体的な負担軽減とか、安眠性を確保する等の観点から、敷物の内部充填材として、適度の柔軟性と復元性を供えた素材、例えば、綿とかスポンジ等が用いられるのが通例であった。【０００３】  ところが、近年、これら敷物においても、健康志向の高まりを背景に、従来とは性状、特性の異なるものが多数提案されている（例えば、特許文献１〜３）。【０００４】  特許文献１に示されるものは、木炭屑を入れた木炭屑用扁平袋と、桐チップを入れた桐チップ扁平袋を上下二段に積層固定して構成された座布団であって、木炭屑による効果（例えば吸湿・排湿効果等）と桐チップによる効果（例えば、防虫効果）を得ることを目的とするものである。【０００５】  特許文献２に示されるものは、木炭を詰めた内袋の表裏両面側に、綿を充填した外袋を積層して構成され、上記内袋に詰められた木炭の保温性、透湿性等を利用するものである。【０００６】  特許文献３に示されるものは、横方向に連接した三個の袋のうち、第１の袋には鉋屑等を充填し、第２及び第３の内には木製の小躯体を充填して構成され、鉋屑等によって柔軟性とクッション性を確保しつつ、木製の小躯体の表面が擦れ合う際に発生する小躯体の有効成分や芳香による癒し効果を得るようにしたものである。【０００７】
【特許文献１】  特開平８−２１４９９７号公報
【特許文献２】  特開平１０−３０９２２５号公報
【特許文献３】  特開平１１−２９０１８３号公報
【発明の開示】
【発明が解決しようとする課題】
【０００８】  人間の身体は、マッサージとか指圧等の押圧刺激によって血行が促進され疲労回復が図れること、及び芳香刺激によって癒し効果が得られることは周知である。【０００９】  ところで、押圧刺激を得るためのマッサージとか指圧等はこれを意識的に欲して行うのが通例であり、且つこれを継続的に行うことで効果が体感できるものである。しかし、現実的には、そのための時間が取れないとか、時間はあっても多忙に紛れてついつい失念する等のことから、継続的に行うことは難しい。なお、このような状況は、芳香刺激によって癒し効果を得るような場合においても同様である。【００１０】  従って、押圧刺激とか芳香刺激を継続的に得ようとすれば、日常の生活の中で、無意識のうちに押圧刺激とか芳香刺激が得られるようにすれば良いといえる。また、そのための手段として、例えば、日常的に使用される座布団とか枕等の敷物自体に押圧刺激作用とか芳香刺激作用を発揮し得る構成を付加することが考えられる。【００１１】  しかるに、上述のように従来の敷物は、芳香刺激作用とか吸湿・保温作用を得るための構成のみに視点を置いたものであって、押圧刺激とか、押圧刺激と芳香刺激の双方を得るための構成については何等の提案もされていない。【００１２】  そこで本願発明は、適度の押圧刺激と芳香刺激によって疲労回復効果と快適な癒し効果が得られるようにした敷物を提供することを目的としてなされたものである。
【課題を解決するための手段】
【００１３】  本願発明では、上記課題を解決するために以下のような構成を採用している。【００１４】  本願の第１の発明に係る敷物１では、略筒状に形成した充填用袋１０内に、石材を略球状に成形してなる多数の石材球体５を、又は木材を略球状に成形してなる多数の木材球体６を、又は多数の石材球体５と木材球体６の双方を、充填してなる球体充填体２を複数本並置し、且つ該各球体充填体２を並置方向に順次連結して構成されたことを特徴としている。【００１５】  本願の第２の発明では、上記第１の発明に係る敷物において、上記各球体充填体２を、ベース布３を介して連結したことを特徴としている。【００１６】  本願の第３の発明では、上記第２の発明に係る敷物において、上記各球体充填体２を、その並置方向に連続的に、又は非連続に設けたことを特徴としている。【００１７】  本願の第４の発明では、上記第３の発明に係る敷物において、上記各球体充填体２をその並置方向に非連続に設け、その非連続部において上記ベース布３の展張状態を調整することで、該非連続部を挟んでその両側に位置する球体充填体２相互間の相対角度を変更し得るように構成したことを特徴としている。【００１８】  本願の第５の発明では、上記第３の発明に係る敷物において、上記各球体充填体２をその並置方向に非連続に設けるとともに、その非連続部では展張状態にある上記ベース布３に対して上記各球体充填体２をテーパ状の空隙を挟んでその両側に位置するように略Ｖ字形に連結したことを特徴としている。【００１９】  本願の第６の発明では、上記第１、第２、第３、第４又は第５の発明に係る敷物において、上記球体充填体２を、上記充填用袋１０内に、上記石材球体５を、又は上記木材球体６を、又は上記石材球体５と上記木材球体６の双方を、一列に充填して構成したことを特徴としている。
【発明の効果】
【００２０】  本願発明では次のような効果が得られる。【００２１】（ａ）本願の第１の発明に係る敷物によれば、
（ａ−１）  敷物１が、充填用袋１０内に、多数の石材球体５を、又は多数の木材球体６を、又は多数の石材球体５と木材球体６の双方を、充填してなる球体充填体２で構成されているので、該敷物１を体の下に敷くことで、上記石材球体５によって、又は上記木材球体６によって、又は石材球体５と木材球体６の双方によって、これに接した部分に押圧刺激が加えられ、心地よい押圧感が得られるとともに、体内の血行が促進され疲労回復が図られる、
（ａ−２）  また、敷物１を使用する人は、上記木材球体６から発散される素材木材に特有の芳香あるいは有効成分（例えば、マイナスイオン）によって芳香刺激が与えられることで、精神的な安定が促進される等の癒し効果が得られ、
（ａ−３）  上記石材球体５と木材球体６は、ともに押圧刺激作用を発揮するのに加えて、上記石材球体５は熱容量が大きく夏場には冷却作用を発揮し、上記木材球体６は素材木材がもつ芳香を発生するとともに保温作用をもつことから、例えば、上記石材球体５と木材球体６の双方を充填用袋１０に充填してなる球体充填体２においては、夏場には冷却作用を持つ石材球体５の混合比率を高くすることで、適度の冷感を有する敷物１を得ることができ、また冬場には上記木材球体６の混合比率を高くすることで、適度の温感と芳香性を兼ね備えた敷物１を得ることができるなど、季節に対応した敷物１を容易に得ることができる、
（ａ−４）  上記の場合において、敷物１が球体充填体２を複数本並置し、且つ該各球体充填体２を並置方向に順次連結した構成とされているので、例えば、扁平状の大きな充填用袋の中に上記石材球体５と木材球体６を充填した単一構成の敷物とする場合に比して、該敷物１と体とが接触して体重等を受ける部分の面積、即ち、受圧面積が小さくなり、その結果、受圧部分に対して効果的に押圧力が掛けられ、より効率的な押圧刺激作用が実現される、
（ａ−５）  上記充填用袋１０内に、多数の石材球体５を、又は多数の木材球体６を、又は多数の石材球体５と木材球体６の双方を、充填することで球体充填体２が構成されているので、上記石材球体５等は上記充填用袋１０内において適度に移動可能であり、この石材球体５等の移動及び該移動に伴う上記球体充填体２の形体の変化によって、身体への過度の押圧力の負荷が回避され快適な押圧刺激感が得られるとともに、身体表面と上記球体充填体２との形状的なフイット性が確保され、例えば、上記敷物１を座布団として使用する場合には着座感が向上し、また上記敷物１を枕の表面側に敷き、ここに頭部を置いて休む場合には頭部に対するサポート感が向上する、
等の有用な効果が得られる。
（ａ−６）  上記敷物１を座布団とか枕敷きとして使用すれば、日常的な着座体勢あるいは睡眠体勢において格別な意識をもつことなく、押圧刺激及び芳香刺激が自動的に得られるので、例えば、時間的な制約等を受けることなく押圧刺激効果及び芳香刺激効果を継続的に享受することができ、健康増進を図る上において極めて有効である。【００２２】（ｂ）本願の第２の発明に係る敷物によれば、上記（ａ）に記載の効果に加えて以下のような特有の効果が得られる。即ち、この発明では、上記各球体充填体２を、ベース布３を介して連結しているので、該ベース布３を適宜変形させることで上記各球体充填体２相互間の位置関係を種々変更設定することができる。このため、例えば、表面が曲面形状を持つ枕の上に上記敷物１を載置したような場合には、上記ベース布３が適宜変形して上記各球体充填体２の相対位置関係が変化することで、該敷物１は容易に上記枕の表面形状に対応した曲面形体とされることから、該敷物１の使用場所についての任意性が向上する。【００２３】  また、上記ベース布３の機能によって、上記各球体充填体２を重ね合わせたり、環状に丸めたりすることができることから、例えば、上記敷物１を平面形状のまま収納する場合に比して、そのコンパクト収納が実現されるなど、敷物１の取扱性が向上する。【００２４】（ｃ）本願の第３の発明に係る敷物によれば、上記（ｂ）に記載の効果に加えて以下のような特有の効果が得られる。即ち、この発明では、上記各球体充填体２を、その並置方向に連続的に、又は非連続に設けているので、
（ｃ−１）  上記各球体充填体２を、その並置方向に連続的に設けた場合には、該敷物１の全体を有効に利用できることから、例えば、上記敷物１を、その球体充填体２の長手方向を枕の幅方向に合致させた状態で枕の上に設置してこれを枕敷きとして使用するときには、該敷物１が後頭部の形状に沿って連続的に変形してこれを支持することとなり、後頭部の安定した支持が実現される、
（ｃ−２）  また、上記各球体充填体２を、その並置方向に非連続的に設けた場合には、上記敷物１の全面のうち、上記球体充填体２が設けられている部分のみで身体を支持することになることから、例えば、上記敷物１を椅子の座面等に敷いてこれを座布団として使用するときには、該敷物１の全面で身体を支持するような場合に比して、敷物１側における受圧面積が少なくなり、それだけ身体に対して効果的に押圧作用が与えられ、押圧刺激効果がより安定的に実現される、
等の効果が得られる。【００２５】（ｄ）  本願の第４の発明に係る敷物によれば、上記（ｃ）に記載の効果に加えて以下のような特有の効果が得られる。即ち、この発明では、上記各球体充填体２をその並置方向に非連続に設け、その非連続部において上記ベース布３の展張状態を調整することで、該非連続部を挟んでその両側に位置する球体充填体２相互間の相対角度を変更し得るように構成している。【００２６】  ここで、人が椅子の座部に座って寛ぐ場合、両太腿を揃えて座るよりも、両太腿を若干左右に開いて座るのが自然であって、この方がより高い安楽感が得られるものである。【００２７】  従って、例えば、敷物を、椅子の座部に、上記各球体充填体２が座部の前後方向へ延びるように敷き、これを座布団として用いるような場合、この発明の敷物においては、上記非連続部において上記ベース布３の展張状態を調整することで、該非連続部を挟んでその両側に位置する球体充填体２相互間の相対角度を変更し得ることから、この相対角度の変更によって、両太腿を若干左右に開いた安楽姿勢で椅子に座った人の両太腿の下側に上記球体充填体２を的確に対応させることができ、該球体充填体２による両太腿への押圧刺激作用がより一層促進されることになる。【００２８】（ｅ）  本願の第５の発明に係る敷物によれば、上記（ｃ）に記載の効果に加えて以下のような特有の効果が得られる。即ち、この発明では、上記各球体充填体２をその並置方向に非連続に設けるとともに、その非連続部では展張状態にある上記ベース布３に対して上記各球体充填体２をテーパ状の空隙を挟んでその両側に位置するように略Ｖ字形に連結している。【００２９】  ここで、人が椅子の座部に座って寛ぐ場合、両太腿を揃えて座るよりも、両太腿を若干左右に開いて座るのが自然であって、この方がより高い安楽感が得られるものである。【００３０】  従って、例えば、敷物を、椅子の座部に、上記各球体充填体２が座部の前後方向へ延びるように敷き、これを座布団として用いるような場合、この発明の敷物においては、上記非連続部では展張状態にある上記ベース布３に対して上記各球体充填体２をテーパ状の空隙を挟んでその両側に位置するように略Ｖ字形に連結しているので、両太腿を若干左右に開いた安楽姿勢で椅子に座った人の両太腿の下側に上記球体充填体２を的確に対応させることができ、しかも該球体充填体２の略Ｖ字形の形態が上記ベース布３によって保持されその位置ずれが可及的に抑制されることから、該球体充填体２による両太腿への押圧刺激作用がより一層安定的に得られ、押圧刺激による疲労回復作用等が促進されることになる。【００３１】（ｆ）  本願の第６の発明に係る敷物によれば、上記（ａ）、（ｂ）、（ｃ）、（ｄ）又は（ｅ）に記載の効果に加えて以下のような特有の効果が得られる。即ち、この発明では、上記球体充填体２を、上記充填用袋１０内に、上記石材球体５を、又は上記木材球体６を、又は上記石材球体５と上記木材球体６の双方を、一列に充填して構成しているので、上記球体充填体２の表面には上記石材球体５、又は上記木材球体６、又は上記石材球体５と上記木材球体６の双方による凸部が一列に並んだ状態で現れ、例えば、上記球体充填体２の表面に上記���材球体５、木材球体６等による多数の凸部がランダムに並んでいる場合に比して、上記敷物１に人が座った場合における受圧面積が小さく、該人は各凸部から大きな押圧作用を受けることとなり、それだけ押圧刺激作用が促進されることになる。
【発明を実施するための最良の形態】
【００３２】  以下、本願発明を好適な実施形態に基づいて具体的に説明する。【００３３】  Ｉ：第１の実施形態
Ｉ−Ａ：敷物１の構成
図１には、本願発明の第１の実施形態に係る敷物１を示している。この敷物１は、特に座布団として使用するに好適な敷物であって、次述の球体充填体２を、ベース布３上の両端寄り位置にそれぞれ二本ずつ並置状態で取付けて構成される。【００３４】  ここで、上記敷物１の具体的構成を、図１及び図２を参照して説明する。【００３５】  上記球体充填体２は、充填用袋１０内に石材球体５と木材球体６を所定量充填して構成される。【００３６】  上記充填用袋１０は、全体として略筒状の基本形体（即ち、製作上の設計形体）を有するものであって、内側袋１１と外側袋１２の二重構成とされ、必要に応じてその形体が変更可能とされる。上記内側袋１１は、布目の粗いメッシュ布で構成される。これに対して、上記外側袋１２は、布目の密な不織布等の布材で構成される。【００３７】  なお、上記内側袋１１は、その内部に充填される石材球体５とか木材球体６を抱持してその散逸による自由移動をある程度拘束して略円筒状の形状を保持することを主たる機能としている。これに対して、上記外側袋１２は、上記石材球体５及び木材球体６から摩擦粉が発生した場合、これを捕集して外部への飛散を防止することを主たる機能としている。従って、上記充填用袋１０を上記内側袋１１と上記外側袋１２からなる二重構成としたことで、球体充填体２の形状保持性と環境保持性が両立されることになる。【００３８】  また、この実施形態では、上記充填用袋１０の径寸法を５０ｍｍ程度、長さ寸法を４００ｍｍ程度に、それぞれ設定している。係る設定は、通常の椅子等に敷かれる座布団の大きさに略対応させたものであり、従って、他の実施形態においては使用状況等の条件に応じて、その大きさを適宜設定できるものである。【００３９】  このように構成された上記充填用袋１０の上記内側袋１１の内部に、次述の石材球体５と木材球体６を所定の混合割合で充填封入することで、略円柱状の外観形体をもつ上記球体充填体２が構成される。【００４０】  ここで、上記石材球体５は、砕石を成形加工してその角部分を取り除いて、２０〜２５ｍｍ程度の球状に成形して得られる。また、上記木材球体６は、例えば、桧とか松の小片を成形加工してその角部分を取り除いて、２０〜２５ｍｍ程度の球状に成形して得られる。なお、図２においては作図の便宜上、上記石材球体５及び木材球体６を真球として示しているが、この石材球体５及び木材球体６は、望ましくは、真球に近い球体とされるが、これのみを指すものではなく、敷物の充填材として許容され得る程度（例えば、角部によって人体に過度の刺激を与えないと思われる程度）の球体形状と認められるものであれば良く、例えば、多面体の各角部分を適度に面取りしたような多面球体等を含む広い概念である。【００４１】  また、上記石材球体５と木材球体６は、上記充填用袋１０内に所定の混合割合で充填封入されるが、ここでいう「充填」とは、上記充填用袋１０内に上記石材球体５と木材球体６を隙間無くびっしりと詰め込むという概念ではなく、充填状態において上記石材球体５と木材球体６が上記充填用袋１０内で適度に移動して上記球体充填体２の外観形体の変化を許容し得るように、多少のスペース的な余裕をもって詰め込まれること��いう。【００４２】  さらに、この実施形態では、上記充填用袋１０に上記石材球体５と木材球体６を混合させて充填するようにしているが、本願発明は係る構成に限定されるものではなく、必要に応じて充填材として、上記石材球体５のみを、あるいは上記木材球体６のみを用いることもできろ。また、この実施形態のように、上記石材球体５と木材球体６の双方を混合状態で充填する場合においても、季節等の使用環境条件に応じて上記石材球体５と木材球体６の混合比率を変え得ることは既述の通りである。【００４３】  以上のようにして形成された上記球体充填体２は、図１に示すように、所定大きさの矩形形状（この実施形態では、縦横寸法を４００ｍｍ程度の矩形としている）をもつ上記ベース布３の一端側と他端側のそれぞれに二本ずつ並置状態で取付けられて、該ベース布３とともに上記敷物１を構成する。そして、この敷物１は、図３に示すように、その外側に外カバー４を被せた状態で使用される。【００４４】  ここで、上記ベース布３への上記球体充填体２の取付方法と、上記充填用袋１０への上記石材球体５及び木材球体６の充填作業との関係について説明する。【００４５】  この実施形態では、図２に縫合線７で示すように、上記ベース布３と上記充填用袋１０の周方向の一側をその長手方向に縫合することで該ベース布３と充填用袋１０を連結している。従って、係る手法を採用する場合には、予め上記ベース布３に上記充填用袋１０を縫合固定し、しかる後、上記充填用袋１０内に上記石材球体５及び木材球体６を充填し、さらに該充填用袋１０の開口端部を閉塞する手法をとることになる。【００４６】  一方、上記ベース布３と上記充填用袋１０を、接着剤を用いて接着固定するような構成をとる場合には、予め上記充填用袋１０内に上記石材球体５及び木材球体６を充填し且つこれを封入して上記球体充填体２を作り、しかる後、この球体充填体２を上記ベース布３に接着固定する手法とか、先に上記ベース布３に対して上記充填用袋１０を接着固定し、しかる後、該充填用袋１０内に上記石材球体５及び木材球体６を充填し且つこれを封入して固定する手法等をとることもできる。なお、これら手法は一例であって、これらと異なる手法によって上記球体充填体２を上記ベース布３に連結することができることは勿論である。【００４７】  ところで、上記敷物１においては、上述の如き球体充填体２の配置構成を採用したことで、図１に示すように、上記ベース布３の一端側に取付けられた二本の各充填用袋１０と他端側に取付けられた二本の充填用袋１０の間には、上記球体充填体２が取付けられずに上記ベース布３のみが存在する部分が生じることになる。ここでは、上記球体充填体２に対応する部分を支持ゾーン１Ａとし、該球体充填体２が存在しない部分を非支持ゾーン１Ｂとする。【００４８】  このように、上記敷物１に上記支持ゾーン１Ａと非支持ゾーン１Ｂを設けた第１の理由は、敷物１の表面全体で体重を支持するよりも、特定の部位のみで体重を支持するようにすれば、これらの当接部分における面圧が高くなり、その分だけ押圧刺激作用をより効果的に得ることができるためである。この押圧刺激作用については後述する。【００４９】  第２の理由は、上記敷物���を折り畳んで収納する場合のコンパクト性を考慮したものである。即ち、上記非支持ゾーン１Ｂの幅寸法（上記非支持ゾーン１Ｂを挟んで対向する一方側の球体充填体２の縫合線７と他方側の球体充填体２の縫合線７との間隔寸法）を上記球体充填体２の直径の４倍程度に設定しておけば、図４に示すように上記敷物１を、上記ベース布３の撓曲性を利用して上下二段に重ねることができ、係る形体によれば上記敷物１を展開状態（図３の状態）のまま収納するよりもコンパクトとなり、その収納性が向上するからである。【００５０】  なお、この収納性という観点を重視すれば、例えば、図５に示すように、上記非支持ゾーン１Ｂの幅寸法を上記球体充填体２の直径の６倍程度に設定しておけば、図６に示すように上記敷物１を、その４本の球体充填体２を横並び状態で収納することができ、この場合にも、上記敷物１を展開状態のまま収納するよりもコンパクトとなり、その収納性が向上する。【００５１】  Ｉ−Ｂ：敷物１の使用方法及びその作用効果
図７には、上記敷物１の第１の設置形態として、上記敷物１を椅子３０の座部３１上に、該敷物１の上記各球体充填体２の長手方向が上記座部３１の幅方向に向くようにして載置した状態を示している。また、図８には、上記敷物１上に人Ｍが着座した状態を示している。【００５２】  この着座状態においては、上記座部３１の前端寄りに位置する上記敷物１の一方の支持ゾーン１Ａは上記人Ｍの大腿部Ｍ２の前部に対応し、また上記座部３１の後端寄りに位置する上記敷物１の他方の支持ゾーン１Ａは上記人Ｍの臀部Ｍ１から上記大腿部Ｍ２の付根部分に対応している。そして、この着座状態においては、人Ｍの体重が上記敷物１の各支持ゾーン１Ａの各球体充填体２に掛けられることで、その反力として、人Ｍの臀部Ｍ１及び大腿部Ｍ２部分に、上記各球体充填体２の石材球体５及び木材球体６から所定の押圧力が作用し、適度の押圧刺激が加えられる。この押圧刺激の結果、心地よい押圧感が得られ、精神的な安定感が促進されるとともに、臀部Ｍ１及び大腿部Ｍ２部分の血行が促進され疲労回復が図られるものである。【００５３】  この場合、上記敷物１の各支持ゾーン１Ａに属する各球体充填体２によって臀部Ｍ１及び大腿部Ｍ２の前部の部分が集中的に押圧刺激されることから、例えば、臀部Ｍ１から大腿部Ｍ２の全域に押圧刺激が加えられる場合に比して、効果的な押圧刺激作用が得られる。また、上記敷物１が球体充填体２を複数本並置し、且つ該各球体充填体２を並置方向に連結した構成とされているので、例えば、扁平状の大きな充填用袋の中に上記石材球体５と木材球体６を充填した単一構成の敷物とする場合に比して、該敷物１と体とが接触して体重等を受ける部分の面積、即ち、受圧面積が小さくなり、その結果、受圧部分に対して効果的に押圧力が掛けられ、より効率的な押圧刺激作用が得られる。これらの相乗作用として、押圧刺激による疲労回復効果がより一層高められることになる。【００５４】  さらに、上記球体充填体２が、上記充填用袋１０内に多数の石材球体５と木材球体６の双方を充填して構成されているので、上記石材球体５等は上記充填用袋１０内において適度に移動可能であり、この石材球体５等の移動及び該移動に伴う上記球体充填体２の形体の変化によって、身体への過度の押圧力の負荷が回避され快適な押圧刺激感が得られるとともに、身体表面と上記球体充填体２との形状的なフイット性が確保され良好な着座感が得られ、長時間の着座も可能となる。【００５５】  一方、上記敷物１の球体充填体２内には上記木材球体６が詰められているため、上記敷物１に着座した人Ｍは、上記木材球体６から発散される素材木材に特有の癒し効果のある芳香、あるいはマイナスイオン等の有効成分を吸引することで適度の芳香刺激が与えられることになり、その結果、精神的な安定が促進される等の癒し作用を享受できることになる。特に、この芳香刺激による癒し作用と上記押圧刺激による血行促進作用が相乗的に働くことで、その効果はより一層顕著となる。【００５６】  さらに、上記石材球体５と木材球体６は、ともに押圧刺激作用を発揮するのに加えて、上記石材球体５は熱容量が大きく夏場には冷却作用を発揮し、上記木材球体６は素材木材がもつ芳香を発生する��ともに保温作用をもつことから、例えば、上記石材球体５と木材球体６の双方を充填用袋１０に充填してなる球体充填体２においては、夏場には冷却作用を持つ石材球体５の混合比率を高くすることで、適度の冷感を有する敷物１を得ることができ、また冬場には上記木材球体６の混合比率を高くすることで、適度の温感と芳香性を兼ね備えた敷物１を得ることができるなど、季節に対応した敷物１を容易に得ることができる。【００５７】  図９には、上記敷物１の第２の設置形態として、上記敷物１を椅子３０の座部３１上に、該敷物１の上記各球体充填体２の長手方向が上記座部３１の奥行方向に向くようにして載置した状態を示している。また、図１０及び図１１には、上記敷物１上に人Ｍが着座した状態を示している。【００５８】  この着座状態においては、上記座部３１の両端寄りにそれぞれ位置する上記敷物１の各支持ゾーン１Ａが人Ｍの臀部Ｍ１から大腿部Ｍ２にかけての全域に対応することから、これらの部位に対してより一層効果的に押圧刺激を与えることができる。従って、この第２の設置形態と上記第１の設置形態を適宜間隔で交互に設定することで、押圧刺激の多様化が促進され、特に長時間着座するような場合には好適である。【００５９】  一方、図１２には、上記敷物１の第３の設置形態を示している。この第３の設置形態は、上記第２の設置形態の変形とも言えるもので、その特徴とするところは、上記第２の設置形態のように上記敷物１を、その全ての球体充填体２がその長手方向を上記座部３１の奥行方向に向くようにして載置するのではなく、上記敷物１の左右両側の各支持ゾーン１Ａ、１Ａに属する各球体充填体２が、全体として上記座部３１の奥側から手前側に向かって拡開変化するような略Ｖ字形となるように載置したものである。【００６０】  係る載置形態は、上記敷物１の上記ベース布３の可撓性を利用して、該ベース布３の上記非支持ゾーン１Ｂに対応する部分を、その手前部３ｂを張設状態としたまま、その奥部３ａ側を矢印方向に折り畳み状態に接近させることで実現される。【００６１】  なお、このように上記ベース布３の奥部３ａ側のみを折り畳んで接近させるのみならず、該ベース布３の手前部３ｂ側も折り畳むものとし、且つこれら両者の相対的な折り畳み量の比率を変化させることで、所用の挟角をもつ略Ｖ字の設置形態を得ることができることは勿論である。特に、後者の場合にあっては、左右の球体充填体２間の挟角と、その離間間隔の双方を同時に選択設定できることから、好都合である。【００６２】  このように、上記敷物１を、その左右の球体充填体２が略Ｖ字形となるように上記椅子３０の座部３１上に設置すると、図１３に示すように、ここに人Ｍが、安楽姿勢で、即ち、その両太腿Ｍ２、Ｍ２を左右に僅かに開いた状態で座った場合、この両太腿Ｍ２、Ｍ２が上記敷物１の左右の球体充填体２、２に的確に対応することとなる。この結果、上記球体充填体２による両太腿への押圧刺激作用がより一層促進され、押圧刺激作用に基づく疲労回復等の効果がより一層顕著となる。【００６３】  なお、上記左右の球体充填体２間の挟角と離間間隔は、一旦、人Ｍが着座した後においても、必要に応じて腰を浮かせることで、容易に微調整することができることは言うまでもない。【００６４】  ＩＩ：第２の実施形態
図１４には、本願発明の第２の実施形態に係る敷物１を示している。この実施形態の敷物１は、上記第１の実施形態に係る敷物１と同様に、座布団として使用するに好適な敷物であって、上記球体充填体２を、ベース布３上の両端寄り位置にそれぞれ二本ずつ並置状態で取付けて構成されるものでる。そして、この実施形態の敷物１が特徴とするところは、上記第１の実施形態における第３の設置形態（即ち、左右の球体充填体２が略Ｖ形に配置された形態）と同様の形態を、当初から固定的に設定した点である。【００６５】  即ち、この実施形態の敷物１では、展張状態にある上記ベース布３上にテーパ状の空隙１ａを仮想設定し、この空隙１ａを左右両側から挟むように、該空隙１ａの左右両縁部に、それぞれ２本の球体充填体２を配置することで、上記の如き略Ｖ字形の配置形態を得るようにしている。【００６６】  なお、この場合、Ｖ字形の角度、即ち、左右の球体充填体２間の挟角は、予め人Ｍの安楽姿勢における両太腿Ｍ２，Ｍ２の開き角度に対応するように設定されるが、さらに、これに加えて、上記ベース布３を適宜折り畳むことでも調整できることは言うまでもない。【００６７】  図１５には、上記敷物１を上記椅子３０の座部３１上に、上記Ｖ字形の拡開側が手前側に向くようにして載置した状態を示している。さらに、図１６及び図１７には、椅子３０の座部３１上に載置された上記敷物１に人Ｍが安楽姿勢で座った状態を示している。この状態では、上記敷物１の略Ｖ字形に拡開状態で配置された左右の球体充填体２，２が、人Ｍの左右の太腿Ｍ２，Ｍ２に的確に対応することとなり、該各太腿Ｍ２、Ｍ２に対する上記球体充填体２からの押圧刺激がより効果的に働くことになる。【００６８】  しかも、この場合、上記各球体充填体２の略Ｖ字形の形態が上記ベース布３によって保持されていることから、上記左右の太腿Ｍ２，Ｍ２と上記各球体充填体２との間における位置ずれが可及的に防止され、該球体充填体２による両太腿への押圧刺激作用がより一層安定的に得られることになる。これらの相乗作用により、太腿Ｍ２への押圧刺激による疲労回復作用等がより一層促進されることになる。【００６９】  ＩＩＩ：第３の実施形態
図１８には、本願発明の第３の実施形態に係る敷物１を示している。この実施形態の敷物１は、特に畳床とか板床上に直接載置して使用される座布団として使用するに好適な敷物であって、ベース布３上の全域にわたって次述の球体充填体２を取付けて構成される。【００７０】  上記球体充填体２は、充填用袋１０内に木材球体６を一列に充填して構成される。なお、ここでは木材球体６のみを用いているが、係る構成に限定されるものではなく、他の実施形態においては、例えば、石材球体５、又は木材球体６と石材球体５の双方を用い、これを上記充填用袋１０内に一列に充填して上記球体充填体２とすることもできるものである。【００７１】  なお、上記充填用袋１０は、上記第１、第２の実施形態の場合と同様に、全体として略筒状の基本形体を有するものであって、内側袋１１と外側袋１２の二重構成とされ、必要に応じてその形体が変更可能とされる。特に、この実施形態では、上記敷物１が畳床とか板床上に直接載置して使用されるものであることを考慮して、上記球体充填体２の外径寸法が３０ｍｍ程度となるように上記充填用袋１０の寸法を設定するとともに、該充填用袋１０に一列に充填される上記木材球体６の径寸法を設定している。【００７２】  以上のように構成された球体充填体２を、上記ベース布３上に、その一方側から他方側に向けて連続的に並置することで上記敷物１が構成される。この敷物１においては、上述のように、これに設けられた上記球体充填体２が、上記充填用袋１０内に上記木材球体６を一列に充填した構成とされているので、該球体充填体２の表面には上記木材球体６による凸部がその長手方向へ一列に並んだ状態で現れる。従って、上記敷物１に人Ｍが座った場合における受圧面積は、例えば、上記球体充填体２の表面に上記石材球体５、木材球体６等による多数の凸部がランダムに並んでいる場合に比して小さく、このため、人Ｍは各凸部から大きな押圧作用を受けることとなり、人Ｍに対する押圧刺激作用がより一層促進されることになる。【００７３】  また、上記敷物１は、そのベース布３の全域に多数の球体充填体２を同一方向に向けて連続的に取付けているので、この敷物１に人Ｍが座る場合、その膝の延出方向が上記球体充填体２の長手方向と同方向であっても、直交する方向であっても、所要の押圧刺激作用を受けることができる。即ち、敷物１を載置する場合、その載置方向は殆ど問題とはならず、該敷物１を使用する場合における高い利便性が確保される。【００７４】  さらに、上記敷物１は、上記各球体充填体２が上記ベース布３によって連結されているので、図１９に示すように、この敷物１を、球体充填体２の列設方向の一方側から他方側へ向けて容易に巻回することができる。そして、この巻回された敷物１は、全体として略円柱状形体をもつことから、これを枕として、特に後頸部に当てがわれる枕として使用するに好適である。【００７５】  ＩＶ：第４の実施形態
ＩＶ−Ａ：敷物１の構成【００７６】  図２０には、本願発明の第４の実施形態に係る敷物１を示している。この敷物１は、特に枕の表面側に載置される枕敷きとして使用するに好適な敷物であって、その基本構成は上記第１の実施形態の敷物１と同様であって、図２に示すように、内側袋１１と外側袋１２の二重構成の充填用袋１０内に石材球体５と木材球体６を所定量充填してなる複数の球体充填体２を、ベース布３に対して併設状態で取付け構成される。なお、上記敷物１は、図２１に示すように、その外側に外カバー４を被せた状態で使用される。【００７７】  そして、この実施形態の敷物１は、その具体的構成において上記第１及び第２の実施形態の敷物１と比べて二点ほど異なる点がある。その第１点は、上記第１及び第２の実施形態の敷物１では上記支持ゾーン１Ａと非支持ゾーン１Ｂが設けられていたのに対して、この実施形態の敷物１では、上記球体充填体２を上記ベース布３上に連続的に配置した点である。第２点は、上記第１及び第２の実施形態の敷物１では、上記充填用袋１０の外側袋１２を布目の密な不織布等の布材で構成していたのに対して、この実施形態では該外側袋１２を、布目の密な不織布等の布材の他に、例えば、厚さ５〜１２ｍｍ程度の低反発樹脂からなる板状体等の弾性材で構成することも有り得る点である。【００７８】  上記第１点として挙げた特有の構成は、次述のように、上記敷物１を、その球体充填体２の長手方向を枕の幅方向に合致させた状態で枕の上に敷いて使用するときには、該敷物１が後頭部の形状に沿って連続的に変形してこれを支持することとなり、後頭部の安定した支持が実現されるとの観点に基づくものである。また、上記第２点として挙げた特有の構成は、この敷物１を枕敷として使用した場合において、人の頭部に過度の刺激を与えないように配慮したものである。【００７９】  ＩＶ−Ｂ：敷物１の使用方法及びその作用効果
図２２及び図２３に示すように、上記敷物１は、上記球体充填体２の長手方向を枕２０の幅方向へ向けた状態で、該枕２０の表面上に載置して使用される。この場合、上記枕２０はその表面形状が前部に位置する高位部２０Ａと、後部に位置する低位部２０Ｃと、これら両者間に位置する中間凹部２０Ｂとからなる曲面形状とされているが、上記敷物１は、上記各球体充填体２を上記ベース布３によって連結した構成とされていることから、該ベース布３の可撓性により、上記枕２０の表面の曲面形状に沿って曲面状に変形することになり、該枕２０への載置状態における安定性が確保される。【００８０】  図２４及び図２５には、上記枕２０上に上記敷物１を載置した状態で、人Ｍがその後頭部Ｍ３を該敷物１の上に乗せて休んでいる状態を示している。この場合、頭部Ｍ０の重みが上記敷物１を介して上記枕２０に伝達され、該枕２０が適度に弾性変形するが、係る状態においても、上記敷物１は上記枕２０の変形に追従して変形し、上記枕２０の表面側において且つ上記後頭部Ｍ３の形状に沿った状態で存在し、その安定性が確保されている。【００８１】  このような上記敷物１の可撓性に基づく安定性の確保は、例えば、図２４に示すように、上記敷物１をその前端側に位置する球体充填体２が頸部Ｍ４に対応するように載置する場合、図２５に示すように前端側に位置する上記球体充填体２が頸部Ｍ４から肩部Ｍ５寄り位置に対応するように載置した場合、の何れにおいても、同様に確保されるものである。【００８２】  このように上記枕２０に上記敷物１を載置し、後頭部Ｍ３を該敷物１の上に乗せて就寝等する場合、頭部Ｍ０の重みが上記敷物１の各球体充填体２に掛けられることで、その反力として、該頭部Ｍ０には、上記各球体充填体２の石材球体５及び木材球体６から所定の押圧力が作用し、適度の押圧刺激が加えられる。この押圧刺激の結果、心地よい押圧感が得られ、精神的な安定感が促進されるとともに、頭部Ｍ０の血行が促進され、安眠できるとともに、身体の疲労回復にもつながることになる。【００８３】  さらに、上記石材球体５は熱容量が大きく冷却作用を発揮し得ることから、特に夏場においては上記石材球体５の冷却作用によって冷感が得られ、快適さの向上によって、より一層安眠できることになる。【００８４】  また、上記敷物１の球体充填体２内には上記木材球体６が詰められているため、上記敷物１に頭部Ｍ０を預けた人Ｍは、上記木材球体６から発散される素材木材に特有の癒し効果のある芳香、あるいはマイナスイオン等の有効成分を吸引することで適度の芳香刺激が与えられることになり、その結果、精神的な安定が促進され、安眠性がさらに促進されることになる。【００８５】  一方、上記球体充填体２が、上記充填用袋１０内に多数の石材球体５と木材球体６の双方を充填して構成されているので、上記石材球体５等は上記充填用袋１０内において適度に移動可能であり、この石材球体５等の移動及び該移動に伴う上記球体充填体２の形体の変化によって、頭部Ｍ０に過大な押圧刺激が働くのが回避され、適度の押圧刺激の下で安静に睡眠することができる。【００８６】  図２６及び図２７には、上記敷物１の他の使用形体を示している。図２６に示される形体���、図２０に示す通常形体よりも、特にその前後方向中央寄り部分の高さを高くして寝たいというような場合に適した形体である。また、図２７に示される形体は、上記通常形体よりも、特に前部寄り部分の高さを高くして寝たいというような場合に適した形体である。このように上記敷物１は、図２０に示す通常形体の他に、必要に応じてその形態を変更して使用することができるものである。
なお、図２６及び図２７に示す形体は、上記敷物１の収納時の形体としても適用できるものである。【００８７】Ｖ：その他
（１）  上記第１及び第２の実施形態の敷物１は座布団として使用するに好適なものの一例として、４本の球体充填体２を、二本ずつ左右方向に離間させて配置したが、これに限定されるものではなく、他の実施形態においては、例えば、上記球体充填体２を上記第３、第４の実施形態の敷物１のように連続的に設ける構成を採用することもできる。また、上記球体充填体２の設置本数を増減させることも可能である。【００８８】  同様に、上記第４の実施形態の敷物１は枕敷きとして使用するに好適なものの一例として、５本の球体充填体２を連続的に列設した構成としているが、これに限定されるものではなく、他の実施形態においては、例えば、上記球体充填体２を上記第１の実施形態の敷物１のように非連続的に設ける構成を採用することもできるものである。【００８９】（２）  上記各実施形態では、上記球体充填体２の寸法、及び上記石材球体５及び木材球体６の径寸法を例示しているが、これはあくまでも例示であって、敷物１の使用状況等に応じて適宜変更設定し得ることは勿論である。【００９０】（３）  上記各図では、作図の便宜上、上記球体充填体２の端部を円形切り落とし形状として示しているが、係る構成に限定されるものではなく、この端部構成は適宜選択できるものであって、例えば、円筒状に縫製（溶着を含む）された内側袋１１及び外側袋１２の端部を径方向に押し潰した状態でこれを縫合する、等種々の形態を採用できるものである。【００９１】（４）  上記第１及び第２の実施形態では、上記敷物１を上記椅子３０の座部３１に載置して使用する場合を例にとって説明したが、これに限定されるものではなく、例えば、上記敷物１を畳床とか板床上に直接載置して使用することもできるものである。【００９２】（５）  上記第１、第２及び第４の実施形態では、上記球体充填体２を、上記充填用袋１０内に石材球体５とか木材球体６をランダムに多数充填して構成しているが、係る構成に代えて、上記第３の実施形態のように、上記球体充填体２を、上記充填用袋１０内に石材球体５とか木材球体６を一列に配置した構成とすることもできる。
【図面の簡単な説明】
【００９３】
【図１】本願発明の第１の実施形態に係る敷物の全体斜視図である。
【図２】図１に示した敷物の具体的構造を示す一部断面斜視図である。
【図３】図１に示した敷物に外カバーを被せた状態の斜視図である。
【図４】図１に示した敷物の収納時の一形態を示す斜視図である。
【図５】図１に示した敷物の変形例を示す全体斜視図である。
【図６】図５に示した敷物の収納時の一形態を示す斜視図である。
【図７】図１に示した敷物の第１の設置例を示す斜視図である。
【図８】上記第１の設置例における使用状態説明図である。
【図９】図１に示した敷物の第２の設置例を示す斜視図である。
【図１０】上記第２の設置例における側面視での使用状態説明図である。
【図１１】上記第２の設置例における正面視での使用状態説明図である。
【図１２】図１に示した敷物の第３の設置例を示す斜視図である。
【図１３】敷物の使用状態を示す平面図である。
【図１４】本願発明の第２の実施形態に係る敷物の全体斜視図である。
【図１５】図１４に示した敷物の設置状態を示す斜視図である。
【図１６】敷物の使用状態を示す斜視図である。
【図１７】敷物の使用状態を示す平面図である。
【図１８】本願発明の第３の実施形態に係る敷物の全体斜視図である。
【図１９】図１８に示した敷物の使用状態の一例を示す斜視図である。
【図２０】本願発明の第４の実施形態に係る敷物の全体斜視図である。
【図２１】図２０に示した敷物に外カバーを被せた状態の斜視図である。
【図２２】図２０に示した敷物とこれが設置される枕との相対関係説明図である。
【図２３】図２０に示した敷物を枕上に設置した状態を示す斜視図である。
【図２４】図２０に示した敷物の第１の使用状態説明図である。
【図２５】図２０に示した敷物の第２の使用状態説明図である。
【図２６】図２０に示した敷物の他の使用形態を示す斜視図である。
【図２７】図２０に示した敷物の他の使用形態を示す斜視図である。
【符号の説明】
【００９４】  １    ・・敷物
２    ・・球体充填体
３    ・・ベース布
４    ・・外カバー
５    ・・石材球体
６    ・・木材球体
７    ・・縫合線
１０    ・・充填用袋
２０    ・・枕
２１    ・・寝床
３０    ・・椅子
３１    ・・座部
Ｍ    ・・人
Ｍ１    ・・臀部
Ｍ２    ・・大腿部
Ｍ３    ・・後頭部
Ｍ４    ・・頸部
【図１】
2009213860.tif 000003
【図２】
2009213860.tif 000004
【図３】
2009213860.tif 000005
【図４】
2009213860.tif 000006
【図５】
2009213860.tif 000007
【図６】
2009213860.tif 000008
【図７】
2009213860.tif 000009
【図８】
2009213860.tif 000010
【図９】
2009213860.tif 000011
【図１０】
2009213860.tif 000012
【図１１】
2009213860.tif 000013
【図１２】
2009213860.tif 000014
【図１３】
2009213860.tif 000015
【図１４】
2009213860.tif 000016
【図１５】
2009213860.tif 000017
【図１６】
2009213860.tif 000018
【図１７】
2009213860.tif 000019
【図１８】
2009213860.tif 000020
【図１９】
2009213860.tif 000021
【図２０】
2009213860.tif 000022
【図２１】
2009213860.tif 000023
【図２２】
2009213860.tif 000024
【図２３】
2009213860.tif 000025
【図２４】
2009213860.tif 000026
【図２５】
2009213860.tif 000027
【図２６】
2009213860.tif 000028
【図２７】
2009213860.tif 000029